(57)【要約】【課題】  使用者が目元全体の所望の睫毛デザインあるはスタイルを選択した場合に、その睫毛デザイン或いはスタイルに使用する付け睫毛のモデルを予め整理して収納し、即座に、間違いなく目元の所定位置の睫毛に、所定の付け睫毛を接着することができる付け睫毛容器を提供する。【解決手段】  容器の収納部の中央に目の形状を表示した中心部材を設け、中心部材の周囲の所定箇所には区画部材によって複数の小口収納部を設け、小口収納部に収納すべき特定付け睫毛を指示する表示装置を設け、表示装置の指示に従って前記小口収納部に特定付け睫毛を収納するとともに、小口収納部と特定付け睫毛とは人の目の睫毛の位置とその睫毛に接続する特定付け睫毛に対応させ、人の目のほぼ同じ位置の睫毛に前記特定付け睫毛を接着するように指示する睫毛容器。【選択図】図１
2008161646.tif 000002
【特許請求の範囲】
【請求項１】
蓋付き容器の収納部の中央に目の形状を表示した中心部材を設け、
該中心部材の周囲の所定箇所には区画部材によって複数の小口収納部を設け、
該小口収納部に収納すべき特定付け睫毛を指示する表示装置を蓋部に設け、
該表示装置の指示に従って前記小口収納部に特定付け睫毛を収納するとともに、該小口収納部と特定付け睫毛とは人の目の睫毛の位置とその睫毛に接続する特定付け睫毛に対応させ、人の目のほぼ同じ位置の睫毛に前記特定付け睫毛を接着するように指示することを特徴とする付け睫毛容器
【請求項２】
前記小口収納部の配置は表示装置に従って変更可能であることを特徴とする請求項１に記載の付け睫毛容器
【請求項３】
前記表示装置は、所望の睫毛スタイルのカードであって、容器の開いた蓋の内側に挿入表示して、前記スタイルに対応した複数の区画及び該区画毎に前記小口収納部に収納する特定付け睫毛を表示することができる請求項１に記載の付け睫毛容器
【請求項４】
前記表示装置は、電子装置より構成され所望の睫毛スタイルを容器の開いた蓋の内側の薄型表示装置に表示し、前記スタイルに対応した複数の区画及び該区画毎に前記小口収納部に収納する特定付け睫毛を表示することができる請求項１に記載の付け睫毛容器
【発明の詳細な説明】
【技術分野】
【０００１】
本発明は、美容のための複数種類の付け睫毛を、使用に適するように収納、保管する付け睫毛容器に関するものである。
【背景技術】
【０００２】
従来の付け睫毛及び付け睫毛収納容器は、特許文献１に開示されているように、アイラインに沿って基礎部に所望の付け睫毛がデザインされ、一括して、基礎部ごと瞼に取り付けるものである。また、一括ではなく部分的に施す付け睫毛の特許文献２に開示するように、つなぎ糸に所望の複数の睫毛がデザインされ、つなぎ糸と付け睫毛に接着剤を塗布して、ピンセット等で瞼に取り付けるものである。
この場合に、一括してデザインされ取り付けられる従来の付け睫毛は、使用者自身の睫毛とは関わりなく瞼に取り付けられるので、使用者自信の睫毛と一括デザインされた睫毛とが混在し見た目に不自然な様態を呈することがあった。
そこで、近時、前述の従来のつけ睫毛とは異なり、図４の瞼近傍を示すように、１本毎に睫毛にピンセットａ等で接着剤bを塗った付け睫毛cを接着して、本来の自身の睫毛dよりも長く、或いは、種々のカールが付いたように見せる美顔方法、所謂エクステンション、或いはエクステと呼ばれる付け睫毛の美顔方法が提案されている。この場合の美顔方法は手間暇は費やすが、使用者自身の睫毛を延ばすように付け睫毛が施されるので付け睫毛を施しても自然であり、使用者自身がいろいろなバリエイションを楽しめることから、急速に普及している。
これに使用する付け睫毛は、素材が人工睫毛か人の睫毛か、その長さ、太さ、カールの度合い等の極めて多種多様のものが製造者から供給され、それらは使用する人、時、場所、機会等によって、あるいは使用者の好みによって適切なものが選択使用されている。
【特許文献１】登録実用新案第３０４３８４８号公報
【特許文献２】特願２００５−１４６５００号公報
【発明の開示】
【発明が解決しようとする課題】
【０００３】
ところが、前述したエクステンション、或いはエクステと呼ばれる睫毛の一本一本に付け睫毛を施す美顔方法は、目の回りの位置によって特定の付け睫毛を配置することによって、目全体としての見栄えが異り、すなわち、全体の睫毛デザイン(スタイル)によって外見が異なるが、この場合に、エステシャン或いは使用者自身が所望する目及び瞼の全体の睫毛デザインが判っていても、何処にどのような付け睫毛で睫毛を装飾或いは延ばせ（エクステンション）ば良いかは直ぐには判らないといった問題があった。
また、所望の付け睫毛スタイルにするために、使用する特定の付け睫毛を特定できても、数多くの中から所望のものを素早く選び出すことは困難であるといった問題点があった。
本発明は、このような問題点に鑑みてなされたもので、使用者が目元全体の所望の睫毛デザインあるはスタイルを選択した場合に、その睫毛デザイン或いはスタイルに使用する付け睫毛のモデルを予め整理して収納し、即座に、間違いなく目元の所定位置の睫毛に、所定の付け睫毛を接着することができる付け睫毛容器を提供することにある。
【課題を解決するための手段】
【０００４】
上記の課題を解決するために、請求項１の発明は、蓋付き容器の収納部の中央に目の形状を表示した中心部材を設け、該中心部材の周囲の所定箇所には区画部材によって複数の小口収納部を蓋部に設け、該小口収納部に収納すべき特定付け睫毛を指示する表示装置を設け、該表示装置の指示に従って前記小口収納部に特定付け睫毛を収納するとともに、該小口収納部と特定付け睫毛とは人の目の睫毛の位置とその睫毛に接続する特定付け睫毛に対応させ、人の目のほぼ同じ位置の睫毛に前記特定付け睫毛を接着するように指示することを特徴とする付け睫毛容器である。
請求項２の発明は、前記小口収納部の配置は表示装置に従って変更可能であることを特徴とする請求項１に記載の付け睫毛容器である。
請求項３の発明は、前記表示装置は、所望の睫毛スタイルのカードであって、容器の開いた蓋の内側に挿入して、前記スタイルに対応した複数の区画及び該区画毎に前記小口収納部に収納する特定付け睫毛を表示することができる請求項１に記載の付け睫毛容器である。
請求項４の発明は、前記表示装置は、電子装置より構成され所望の睫毛スタイルを容器の開いた蓋の内側の液晶等の薄型表示装置に表示し、前記スタイルに対応した複数の区画及び該区画毎に前記小口収納部に収納する特定付け睫毛を表示することができる請求項１に記載の付け睫毛容器である。
【発明の効果】
【０００５】
本発明の付け睫毛容器によれば、使用者或いは施術者（エステシャン等）が美顔を施したい睫毛スタイルを簡単に選択表示することができ、また、目の形状を表示した中心部材の周囲の所定箇所には区画部材によって、選択した睫毛スタイルに従った付け睫毛の収納部を設けるようにしたので、表示装置の表示と相俟って付け睫毛を所定外の収納部に収納することが少なくなり、更に、選択した睫毛スタイルの美顔処理するに際しても、即座に、間違いなく目の元の所定位置の睫毛に、指定された所定の付け睫毛を接着することができるといった効果を奏する。
【発明を実施するための最良の形態】
【０００６】
ここで、本発明に好適な付け睫毛容器の第１の実施例を図面に沿って説明する。
［実施例１］
図１に示すように、付け睫毛容器１は容器本体２と蓋部３とから構成されている。
蓋付き容器本体２の底部にはカード収納部４が設けられ、後述する表示部に挿入する複数の睫毛スタイルのカードＡをカード挿入口４１から出し入れ自在に収納可能であり、切欠部４２はカード端を把持するためのものである。
容器本体２の上部には各種の付け睫毛Ｍ１を収納する睫毛収納部５で、睫毛収納部５の中央に上部表面が目の形状を表示した左右に一対の中心部材５１と上下区分壁511を設け、目の形状の中心部材５１の周囲の所定箇所には区画部材５２を係止する係止部５３を複数設けるとともに容器本体２の内壁２２にも対向する係止部５３を設け、後述する表示部により指定された箇所の一対の係止部５３に区画部材５２を係止して複数の小口収納部５４a〜ｎを形成するようにしてある。なお、この係止部５３は、区画部材５２よりも多く設けてあり、表示装置に従って区画部材５２の係止部５３の位置は変更可能である。本実施例では容器１の小口収納部５４の開口面積及び容積を大きくするために、所定係止部５３に対応して区画部材５２もそれに対応した長さであるが、後述する実施例２のように区画部材５２を一定の長さにして、係止部５３もそれに合わせた位置としても良い。
【０００７】
蓋付き容器本体２の背面側には蓋部３が設けられ、収納時には矢印R１方向に折り畳むが、蓋部３の内側には表示装置６が設けられ、表示装置６は蓋部３内側の透明板３１と蓋表部３２との間に、挿入口３３からカードＡが挿入され、カードＡに印刷された内容が透明板３１を介して表示されるようになっている。
なお、保管時には蓋部３の雄ロック部材３４が、容器本体２の雌ロック部材２１に係合して容易には開かないようにしてある。
また、必要に応じて、図１の容器本体２の手前側に、収納時には内側（矢印R2）に折り畳むミラー７（図１点線部）を設けて、使用者自身が付け睫毛を施術する際に利用できえうように構成してもよく、勿論、後述する実施例２の容器本体１に設けてもよい。
【０００８】
用意された睫毛スタイルのカードＡの１例は、図１に示すようなもので、右上部の「＊＊＊スタイル」Ｓの表示は、例えば、睫毛の配置から行動的な感じを面接者に与えるような「ＮＹビジネススタイル」Ｓaと称する目全体の睫毛デザインの意味を表示し、そのために、目を模式的に図形化した表示部６１とその表示された目の回りの配置する付け睫毛のモデル記号（Ｍ）６２の位置を区画線621とともに表示する。勿論、他にも種々の睫毛スタイルＳｘが考えられ、それに対応した目を模した図形と目周辺の区画と最適の睫毛モデルを指示するカードが用意される。
ちなみに、前記「ＮＹビジネススタイル」Ｓaとは、発明者らが創作したもので、キャリアウーマンたちが好む黒目の外側を引き立てスタイルで、他にも、オーソドックスで黒目の中心を強調するスタイル（ビューティーエレガンススタイル）や、Ｃカールエクステンションを使用し目黒の中心を強調させるスタイル（ヨーロピアンカジュアルスタイル）や、目黒の外側と下まつげのエクステンションを強調したスタイル（アジアンミステリアススタイル）等の種々スタイルがあり、素人がテクニックを含めて全て記憶するのは困難である。
つまり、図１に示す例示では、左上目瞼の左側には細めでカールのある睫毛Ｍ１モデルの付け睫毛を、中央には長いカールのある睫毛Ｍ２モデルの付け睫毛を、右側には短いストレートの睫毛Ｍ３モデルの付け睫毛を、左下目瞼の左側には短い睫毛Ｍ４モデルの付け睫毛を、右側には短い睫毛Ｍ５モデルの付け睫毛を表示する。勿論、別の睫毛スタイルによっては、区画線６２の位置も付け睫毛のモデル記号（Ｍ）６１の種類も変わり、それに対応する区画部材５２の位置、区画部材５２と係止部５３によって形成される小口収納部５４の位置も、収納すべき付け睫毛モデルも変わってくる。
なお、図２に示すように、素材がポリエステル等人工睫毛か絹か或いは人の睫毛か、１本（シングルタイプM1，M2・・）か数本（フレアタイプ：Mk）か、色（黒、ブラウン、パープル、ブルー）、長さ、太さ、カールの度合い等の極めて多種多様のものがあり、これをモデルＭ１・・・Ｍｎと分類して記号が付されており、このモデル記号で前記カードでの睫毛の種類が表示されている。
【０００９】
したがって、本実施例では、カード収納部４に収納されている複数のカードから使用者や施術者が美顔を施したい睫毛スタイルから選択して、選択した睫毛スタイルＳのカードＡを蓋部３の内側のカード挿入口３３から挿入し、カードＡの内容を表示装置６に表示し、表示内容に従って小口収納部５４を形成し、この小口収納部５４に表示内容の特定の睫毛（モデルＭ1・・n）を収納しておくものである。そして、選択した睫毛スタイルの美顔処理するに際しても、睫毛スタイルさえ確認すれば、即座に、図４に示す従来の使用方法によって、間違いなく目元の所定位置の睫毛に、所定の付け睫毛を接着すことができる。
このように、本発明の実施例の最も特徴とするところは、容器の中央に目の形状を模式的に表示した中心部材５１を設けたことであり、その目の形状の輪郭を垂直方向の壁とした中心部材５１の周囲には、本来の目のエクステンションを施すべき睫毛の位置に対応した小口収納部５４を設けたことである。そして、この小口収納部５４に正しく特定付け睫毛（モデル）が収納されるように、表示表装置６を設けて収納場所を誤らないようしたものであり、使用に際しても、容器の中央の目の形状を表示した中心部材５１の所定位置の小口収納部５４から所定の睫毛モデルを取り出せばよく、文字ではなく図示された場所から所定の睫毛を取り出すので、間違いが少なくなる。
【００１０】
［実施例２］
前述した実施例１（図１）とは別の実施例２を図３示して説明する。
実施例２が実施例１と異なる点は、第１点として、前述したように、実施例１では容器１の小口収納部５４の開口面積及び容積を大きくするために、所定係止部５３に対応して区画部材５２もそれに対応した長さであるが、実施例２のように区画部材５５を一定の長さ（Ｌ）にして、目の形状の中心部材５１の周囲の所定箇所には区画部材５５を係止する係止部５６を複数設けるとともに容器本体２に容器内内壁２３を設けて対向する係止部５６もそれに合わせた位置とし、１対の係止部５６の距離を均等し、使用する区画部材５５を１種類として、使用に際して選択する必要をなくしたこと、紛失しても代りが常に存在するようにしたこと、部品点数を少なくして安価にしたことである。なお、実施例２では、中心部材５１に接続して区分壁512を設けて上下左右を区分している。
また、第２点として、表示装置６として選択カードＡではなく、メモリーカードＢ、電子回路６３及び液晶画面６４を採用したことであり、このため実施例１でのカード収納部４は実施例２では設ける必要がない。
【００１１】
したがって、前述以外の実施例１と共通する構成の説明は省略して、異なる構成について詳述するが、表示装置６には所望のデータが蓄積されているメモリーカードＢをスロット６５に挿入し、電源キー６６を押して電源ＯＮにして電子回路６３と液晶画面６４を稼働させ、選択キー６７によりメモリーカードＢに蓄積されている睫毛スタイルＳから所望の睫毛スタイルＳbを選択し、実行キー６８を押して決定する。この場合に、例えば、「ヨーロピアンスタイル」Ｓbと称する睫毛デザインを選択すれば、実施例１とは異なった睫毛の配置や異種の睫毛モデルが液晶画面６４に表示される。
ここで、実施例１と同様に、液晶画面６４の表示内容に従って、容器本体２の収納部５に区画部材５６により小口収納部５４を形成するが、目の形状の中心部材５１の周囲の所定箇所と、対向する容器内内壁２３の所定箇所には区画部材５６の係止部５５が設けられとともに、係止部５６の近傍に発光ダイオード（ＥＬＤ）５７が設置され、選択された睫毛スタイルＳｍに対応して区画部材５５を係止する箇所を発光させて指示する。そして、この表示にしたがって、収納配置する睫毛モデル、美顔に使用する睫毛モデル（図３のＭ１，Ｍ２，Ｍ４，Ｍ５，Ｍ１１，Ｍ１３，Ｍ１２）によってことななるが、収納及び使用方法は実施例１と同じである。
【００１２】
また、容器本体２の内壁２２と容器内内壁２３との容器手米前側の空間に、施術用具収納部８１を設けて、ピンセットａ等の施術用具を収納している。
更に、容器本体２の一対の中心部材５１の区分壁512の間に、施術台部８２が設けられており、この施術台部８２を図３のｘ−ｘ線での断面図である図４、及び図５と合わせて説明する。
背景技術でも説明したように、付け睫毛の施術の際には、付け睫毛ａの根本側には接着剤（グルー）bを塗布しなければならないが（接着テープに付け睫毛が接着されているタイプは不必要であるが）、この為、本実施例では、図３、図５に示すように、付け睫毛容器の容器本体２に付け睫毛施術台部８２を設けたもので、接着剤を付け睫毛の根本に塗布する臼状部821と、使用剤の付け睫毛についた接着剤を洗浄する洗浄凹状部822とが設けてある。
接着剤を付け睫毛の根本に塗布する臼状部821には、この臼状部821には使い捨てタイプの積層された複数のパレット８３が簡単に剥がれるように軽く接着されており、このパレット８３の材質は粘着剤がしみこまないようなアルミ箔や合成フィルムで、複数枚積層されており、中央部831がやや凹んだ、或いは凹むような構成で、周囲の適所には把持部831が設けられ、使用後は一番上の１枚を把持部831をつまんで剥がして捨てようにしてある。これは、瞼とうに付け睫毛の接着剤が触れることから、雑菌等が接着剤に混入しなように常に清潔を保つことができるようにしてある。
そして、施術に際しては、まず一番上のパレット８３の中央部831の凹部にゲル状の接着剤bを用意し、付け睫毛ｃをピンセットaで挟んで付け睫毛ｃの根本をパレット８３の接着剤bに浸して接着剤ｂを塗布し、この付け睫毛ｃを使用者本人の睫毛（自毛）ｄに接着する。
また、使用いた付け睫毛ｃを、再び付け睫毛ｃを容器本体２に収納する際は、洗浄凹状部822に接着剤bの洗浄液（リムーバ）ｅを用意し、付け睫毛ｃの接着剤bを洗い落としから、所定の小口収納部５４に戻して収納する。
勿論、施術用具収納部８１や施術台部８２は、実施例１の容器本体２に設けてもよい。
【００１３】
以上のように、前記各実施例の付け睫毛容器によれば、使用本人や施術者が美顔を施したい睫毛スタイルを図形と記号によって選択表示し、また、目の図形や形状を表示した中心部材を配置し、その目の図形や形状の周囲の所定箇所には区画部材によって小口収納部を配置し、選択した睫毛スタイルに従った付け睫毛の収納部としたので、従来の単なる記号や単なる矩形や円形の収納部とは異なり、表示装置の表示と相俟って付け睫毛を所定外の収納部に収納することが少なくなり、更に、選択した睫毛スタイルの美顔処理するに際しても、即座に、間違いなく目元の所定位置の睫毛（自毛）に、指定された所定の付け睫毛を接着することができる。
また、容器内に付け睫毛の施術台部８２を設けたので、付け睫毛の施術や取り外しが簡単で、特に、積層された複数のパレット８３を設けてあるので、清潔で衛生的な付け睫毛の施術がどこでも簡単に行える。
なお、本発明の特徴を損なうものでなければ、上記の実施例に限定されるものでないことは勿論である。
【図面の簡単な説明】
【００１４】
【図１】本発明の実施例１の付け睫毛容器の蓋を開けた状態の斜視図、
【図２】種々の睫毛を説明する説明図、
【図３】本発明の実施例２の付け睫毛容器の蓋を開けた状態の平面図、
【図４】図３のｘ−ｘ線での断面図、
【図５】図３、図４のパレットの積層上面図、
【図６】付け睫毛を人の睫毛に接着する使用状態を説明する説明図である。
【符号の説明】
【００１５】
Ａ…睫毛スタイルカード、Ｂ…メモリーカード、Ｓ…睫毛スタイル表示
１…付け睫毛容器、
２…容器本体、21…雌ロック部材、22…容器内壁、23…容器内内壁、
３…蓋部、31…透明板、32…蓋表部、33…カード挿入口、34…雄ロック部材、
４…カード収納部、41…カード挿入口、42…切欠部、
５…睫毛収納部、51…中心部材、511…上下区分壁、512…区分壁、
52，55…区画部材、53，56…係止部、54，54a，・・54n…小口収納部、
57…発光ダイオード、
６…表示装置、61…目の図形表示、62…睫毛モデル（Ｍ1・・・N）記号、621…区画線、
63…電子回路、64…液晶画面、65…スロット、66…電源キー、
67…選択キー、68…実行キー、
７…ミラー、
81…施術用具収納部、82…施術台部、821…臼状部、822…洗浄凹状部、
83…パレット、831…中央部、832…把持部、
ａ…ピンセット、ｂ…接着剤、ｃ…付け睫毛、ｅ…洗浄液、
【図１】
2008161646.tif 000003
【図２】
2008161646.tif 000004
【図３】
2008161646.tif 000005
【図４】
2008161646.tif 000006
【図５】
2008161646.tif 000007
【図６】
2008161646.tif 000008